(57)【特許請求の範囲】
【請求項１】
磁性合金薄帯が巻芯に巻回されてなる磁心と、この磁心に巻線が巻かれ、絶縁性の冷媒中で使用される巻線機器において、
上記磁心と巻線との間に、磁心の角部で発生する電界集中を緩和する電界緩和部材が設けられ、
少なくとも上記磁性合金薄帯の巻径方向に平行な磁心の上面および下面と上記電界緩和部材との間に、上記冷媒が介在するように間隙が設けられている
ことを特徴とする巻線機器。
【請求項２】
磁気圧縮回路もしくは磁気圧縮回路及び昇圧トランス回路を含む高電圧パルス発生回路であって、
上記磁気圧縮回路に設けられた可飽和リアクトルもしくは上記昇圧トランス回路の昇圧トランスとして、上記請求項１の構造を有する巻線機器を用いた
ことを特徴とする高電圧パルス発生回路。
【請求項３】
磁気圧縮回路もしくは磁気圧縮回路及び昇圧トランス回路を含む高電圧パルス発生回路の出力端に接続され、レーザチェンバ内に配置された一対のレーザ放電電極と、
上記電極と並列に接続されたピーキングコンデンサとを有する放電励起ガスレーザ装置において、
上記磁気圧縮回路に設けられた可飽和リアクトルもしくは上記昇圧トランス回路の昇圧トランスとして、上記請求項１の構造を有する巻線機器を用いた
ことを特徴とする放電励起ガスレーザ装置。
【発明の詳細な説明】
【０００１】
【発明の属する技術分野】
本発明は、磁心に巻線が巻かれ、絶縁性の冷煤中で使用されるトランス、リアクトル等の巻線機器に関し、さらに詳細には、このような巻線機器の絶縁緩和部材（コロナリングという）の形状に関する。
本発明は、放電励起型レーザ装置、放電により化合物を分解したり、殺菌を行う装置等に用いられる高電圧パルス発生用の磁気パルス圧縮回路の可飽和リアクトルや昇圧トランス等に適用することができる。
【０００２】
【従来の技術】
放電励起型レーザ装置、パルスコロナ放電を行いダイオキシン等の化合物を分解する装置、放電により食品等の殺菌を行う殺菌装置等においては、放電セル（チェンバー）内に放電電極を設け、放電電極に高電圧パルスを印加して放電を発生させている。上記高電圧を発生させる回路として、一般に磁気圧縮回路もしくは磁気圧縮回路と昇圧トランス回路を用いた高電圧パルス発生回路が知られている。
例えば、エキシマレーザ、フッ素レーザ等の放電励起型レーザは、放電電極間において短時間に放電を繰返しパルスレーザを発振する。
放電電極には短時間に高電圧を供給する必要があり、高電圧パルス発生回路が設けられる。放電励起型レーザ装置に用いる高電圧パルス発生回路として、通常、上記磁気パルス圧縮回路が用いられる。
【０００３】
図１３に、放電励起型レーザ装置等に設けられる、一般的な高電圧パルス発生回路の構成を示す。図１３（ａ）の構成は、可飽和リアクトルからなる磁気スイッチＳＲ２、ＳＲ３を用いた２段の磁気パルス圧縮回路を含む例であり、図中点線で囲まれた部分が２段の磁気パルス圧縮回路である。また、図１３（ｂ）は、上記磁気圧縮回路に加え、昇圧トランスを含む例であり、図１３（ａ）のリアクトルＬ１に代えて、昇圧トランスＴｒが設けられている。
以下、図１３（ａ）に示す高電圧パルス発生回路の動作を以下に説明する。なお、図１３（ｂ）の動作は昇圧トランスＴｒにより昇圧される点を除き、動作は図１３（ａ）のものと同じなので説明を省略する。
(1) 高圧電源（充電器）から、電荷がコンデンサＣ０に、インダクタンスＬ１を介してチャージされる。
(2) スイッチＳＷは、半導体スイッチであり、例えばＩＧＢＴが使用される。半導体スイッチＳＷが閉じられてオンとなると、主コンデンサＣ０、磁気スイッチＳＲ１、固体スイッチＳＷ、コンデンサＣ１のループに電流が流れ、コンデンサＣ０の電荷がコンデンサＣ１に移行する。
【０００４】
(3) その際、チャージ後のコンデンサＣ０には２０〜３０ｋＶの高電圧が印可されているので、スイッチオン時には半導体スイッチＳＷにも同様の電圧がかかる。半導体スイッチＳＷのモジュールの定格電圧は、通常、数ｋＶであるため、半導体スイッチＳＷのモジュールを複数直列に接続してスイッチ回路を構成する。
(4) コンデンサＣ１の電圧の時間積分値が磁気スイッチＳＲ２の特性で決まる限界値に達すると、磁気スイッチＳＲ２が飽和して、コンデンサＣ１、コンデンサＣ２、磁気スイッチＳＲ２のループに電流が流れ、コンデンサＣ１の電荷がコンデンサＣ２に移行する。この時、電流のパルス幅が圧縮される。パルス幅の圧縮比率は、磁気スイッチＳＲ２のコアに巻かれる配線のターン数に依存する。このような回路は磁気パルス圧縮回路と呼ばれる。
(5) この後、コンデンサＣ２における電圧Ｖ２の時間積分値が磁気スイッチＳＲ３の特性で決まる限界値に達すると、磁気スイッチＳＲ３が飽和して、コンデンサＣ２、ピーキングコンデンサＣＰ、磁気スイッチＳＲ３のループに電流が流れ、コンデンサＣ２の電荷がピーキングコンデンサＣＰに移行し、ピーキングコンデンサＣＰが充電される。この時、電流のパルス幅が圧縮される。パルス幅の圧縮比率は、磁気スイッチＳＲ３のコアに巻かれる配線のターン数に依存する。
【０００５】
(6) 充電が進むにつれてピーキングコンデンサＣＰの電圧ＶＰが上昇し、この電圧ＶＰがある値Ｖｂに達すると、放電電極Ｅ間のレーザガスが絶縁破壊されて主放電が開始し、この主放電によりレーザ媒質が励起され、レーザ光が発生する。なお、主放電が発生する前に、不図示の予備電離手段により電極Ｅ間のレーザ媒質であるレーザガスが予備電離される。
(7) この後、主放電によりピーキングコンデンサＣＰの電圧が急速に低下し、やがて充電開始前の状態に戻る。
(8) このような放電動作が半導体スイッチＳＷのスイッチング動作によって繰り返し行なわれることにより、所定の繰り返し周波数でのパルスレーザ発振が行なわれる。
(9) ここで、磁気スイッチおよびコンデンサとで構成される各段の容量移行回路のインダクタンスを後段に行くにつれ小さくなるように設定することにより、格段を流れる電流パルスのピーク値が順次高くなり、かつ、そのパルス幅が順次狭くなるようなパルス圧縮動作が行なわれ、電極Ｅ間に短パルスの強い放電が実現される。よって、放電電極間でグロー放電が安定に維持されて、レーザ発光の安定性が増大し、また、レーザの発振効率も向上する。
【０００６】
近年、露光用光源として使用されるエキシマレーザは、スループット増大のため、放電の数ｋＨｚでの高繰り返しが要請され始めている。そのためには、スイッチＳＷのスイッチング動作の高繰り返しで行なう必要がある。また、磁気パルス圧縮でパルス幅を小さくすることによって、放電電圧の立ち上がりが早くなり、高繰り返しが可能になると考えられている。
図１４に、磁気スイッチ（即ち可飽和リアクトル）ＳＲ１〜ＳＲ３、昇圧トランスＴｒの回路接続を模式的に示す。
可飽和リアクトルＳＲ１〜ＳＲ３は、図１４（ａ）に示すように接地された磁心（以下、コアという）１に巻線２が巻かれており、巻線２に高電圧が印可される。また、昇圧トランスＴｒは、図１４（ｂ）に示すように接地されたコア１に一次巻線３、二次巻線４が巻かれており、一次巻線３に高電圧が印加されると二次巻線４に高電圧が発生する。
【０００７】
図１５（ａ）は、可飽和リアクトル（以下リアクトルという）の、コア１に巻線２が巻かれた様子を示す斜視図である。コア１は磁性合金薄帯１ｂが巻芯１ａに年輪状に巻回されたものであり、同図では、円環状に形成されたコアを示しているが、レーストラック状（長円形状）に形成される場合もある。
巻線２と巻線２との間、巻線２とコア１との間は絶縁しておく必要がある。また、高電圧が印可されるリアクトルは、絶縁と冷却のため、絶縁オイル中に浸される。そのため、図１５（ｂ）に示すように芯線２ａに親油性の良いクレープ紙２ｂが絶縁被覆として巻かれる。昇圧トランスＴｒも、コアに一次巻線および二次巻線が巻かれている点を除き同様な構造であり、以下では主としてリアクトルの場合について説明する。
【０００８】
図１６（ａ）は上記リアクトルの断面構造を概念的に示す図である。同図に示すように断面が略矩形状のコア１に巻かれた巻線２に電圧が印可されると、コア１の角部で電界集中が発生する。
この電界集中により、図１６（ｂ）に示すように該角部と巻線２の絶縁被覆との間でコロナ放電が発生する場合がある。コロナ放電が発生すると、絶縁被覆が徐々に損傷し、やがて短絡が生じる。
【０００９】
上記コロナ放電を防止するため、コア１の角部と巻線２との間には、通常、電界緩和部材（以下ではコロナリングという）が設けられる。図１７に、リアクトルのコア１に取りつけられる、従来のコロナリング５の取付け構造を断面図として示す。
コロナリング５の材質は、例えばステンレスであり、コア１の四隅の角部に、全周にわたって設けられる。断面形状は、図示したように、角の形状に合わせたＬ字形であるが、表面に鋭利な角があると電界が集中し、コロナ放電が発生するので、全体がなめらかな曲線になるよう構成し、電界を緩和する。
図１７において、巻線２に電圧が印可された時、コア１の上面Ａと下面Ａ’の図中左右方向に電位差が生じる。すなわち、コア１は、表面にシリカ等の絶縁被覆が施された磁性合金薄帯を巻芯に年輪状に巻回したものであり、上記薄帯の巻径方向は、巻径方向に直交する面に比べ電気抵抗が大きい。このため、巻線２に電圧が印加されたとき、上記薄帯の巻径方向に平行なコアの上面Ａと下面Ａ’には巻径方向に電位差が生ずる。一方、上記巻き径方向に直交する左右の面Ｂは、略同電位に保たれる。
【００１０】
このため、コア１の上面Ａと下面Ａ’に、導電性のコロナリング５が直接接触すると、上記電位差によりコロナリングに電流が流れて、これにより磁束が打ち消されコア１の実効断面積が小さくなる。
そこで、コア１とコロナリング５との絶縁を取るために、コア１の上面Ａと下面Ａ’側には、コア１とコロナリング５との間にプレスボード６を挟みこむ。プレスボードとは、親油性の紙を多層に重ねてプレスしたものであり、一般に、絶縁オイル中での絶縁材料として用いられる。厚さは、例えば０．７５ｍｍである。
さらに、コロナリング５の上に、コロナリング５を囲むように、厚いプレスボード７が設けられ、その上からクレープ紙を巻いた巻線２が巻かれる。
【００１１】
【発明が解決しようとする課題】
一般に、リアクトルや昇圧トランス等の巻線機器は電力の損失にともないコアが発熱する。発熱量は、損失が大きいほど高い。コアの温度上昇は、巻線の巻き数、巻線に流れる電流（電圧）のパルス幅、繰り返し周波数に依存するが、一般に、これらの数値が大きくなるほど大きくなる。
例えば、上記した、放電型ガスレーザ装置の、磁気パルス圧縮回路の磁気スイッチにおいては、前記したように、高繰り返し化が要求されていること、小型化のために、複数のリアクトルを積み重ねるなど、狭い範囲に配置しなければならないこと、などの理由により、コアが高温になりやすい条件下で使用する。そのような場合、例えば２ｋＨｚの繰り返し周波数で使用していると、絶縁オイル中で冷却していても、使用中のコア角部の温度は１６０℃に達する場合がある。
【００１２】
図１７に示した従来例の構造では、コア１とプレスボード６とコロナリング５とが密着している。したがって、リアクトルが浸されている冷却冷媒（絶縁オイル）が、それらの間にとどかず、コア１の角部を十分に冷却することができない。特に、コア１は、表面にシリカ等の絶縁被覆が施された磁性合金薄帯を巻芯に年輪状に巻回したものであるため、上記薄板の巻径方向は熱伝導が悪い。このため、プレスボード６が上下面に設けられたコア部分は他の部分に比べ温度が上昇する。この加熱により、特にコロナリング５とコア１に挟まれたプレスボード６の寿命が激減する。プレスボード６は１２０℃で２０〜３０年の寿命があるが、６．５℃上昇する毎に、その寿命は１／２となると言われている。
したがって、１６０℃においては、寿命は約３〜６ヶ月となり、頻繁に分解して交換が必要となる。また、コア１からの熱伝導により、コロナリング５が加熱され、コロナリング５を囲むプレスボード７も加熱される。したがって、コロナリング５の上に設けたプレスボード７も短寿命になる。
以上のように、高圧パルス発生回路において使用される従来のリアクトル、昇圧トランス等の巻線機器は、加熱によりプレスボードが劣化し短寿命化するといった問題があった。
【００１３】
本発明は上記従来技術の問題点を解決するためになされたものであって、本発明の目的は、磁性合金薄帯が巻芯に巻回されてなる磁心と、この磁心に巻線が巻かれ、絶縁性の冷媒中で使用される巻線機器において、磁心の角部に設けられた電界緩和部材周辺の磁心の冷却を効率良く行えるようにし、巻線機器を長寿命化することである。
【００１４】
【課題を解決するための手段】
上記課題を本発明においては、次のようにして解決する。
（１）磁性合金薄帯が巻芯に巻回されてなる磁心と、この磁心に巻線が巻かれ、絶縁性の冷媒中で使用される巻線機器において、上記磁心と巻線との間に、磁心の角部で発生する電界集中を緩和する電界緩和部材を設け、少なくとも上記磁性合金薄帯の巻径方向に平行な磁心の上面および下面と上記電界緩和部材との間に、上記冷媒が介在するように間隙を設ける。
これにより、磁心と電界緩和部材との間のプレスボードが不要となり、プレスボードの劣化による巻線機器の短寿命化を防止することができる。
また、磁心と電界緩和部材とを線接触としたり、電界緩和部材と磁心が接触しないように構成することにより、コアが加熱しても熱伝導による電界緩和部材の温度上昇を抑えることができ、電界緩和部材と巻線の間に設けられたプレスボードの温度上昇を抑えることができる。このため、上記プレスボードの短寿命化を防止することができ、上記プレスボードの劣化による巻線機器の短寿命化を防止することができる。
（２）磁気圧縮回路もしくは磁気圧縮回路及び昇圧トランス回路を含む高電圧パルス発生回路において、磁気圧縮回路に設けられた可飽和リアクトルもしくは昇圧トランスに、上記（１）の構造を持つ巻線機器を用いる。
（３）磁気圧縮回路もしくは磁気圧縮回路及び昇圧トランス回路を含む高電圧パルス発生回路の出力端に接続され、レーザチェンバ内に配置された一対のレーザ放電電極と、該電極と並列に接続されたピーキングコンデンサとを有する放電励起ガスレーザ装置において、上記磁気圧縮回路に設けられた可飽和リアクトルもしくは上記昇圧トランス回路の昇圧トランスとして、上記（１）の構造を持つ巻線機器を用いる。
【００１５】
【発明の実施の形態】
図１は本発明の第１の実施例を示す図であり、図１（ａ）は、コアとコロナリングとの関係を示す斜視図であり、同図では見やすいように、コアの半円部分のみを示しており、その他、巻線、コロナリングを囲むプレスボード（前記図１７のプレスボード７は省略されている。また、図１（ｂ）は、本実施例のコアの断面図を示している。
本実施例においては、図１に示すように、コロナリング５ａ〜５ｄをコア１の四隅に全周にわたって設け、該コロナリング５ａ〜５ｄの断面形状を円弧状にし、コア１の角部との接触を、コア１の角の頂部のみで線接触させる。
そして、図１（ｂ）に示すように、コロナリング５ａ〜５ｄを囲うようにプレスボード７を設けて、その上に巻線２を巻き、全体を前記したように絶縁オイル中に浸す。
【００１６】
本実施例は上記構成としたので、コロナリング５ａ〜５ｄは、コア１の角の頂部以外では接触せず、コア１とコロナリング５ａ〜５ｄとの間に、絶縁のためのプレスボード（前記図１７に示したプレスボード６）を設ける必要はない。したがって、前記したコア１とコロナリング５ａ〜５ｄとの間のプレスボード６の寿命の問題がなくなる。
また、図１（ｃ）に示すように、コロナリング５ａ〜５ｄとコア１との間には、絶縁オイルが介在することになり、コア１の角部とコロナリング５ａ〜５ｄとを十分に冷却することができる。さらに、コア１とコロナリング５ａ〜５ｄとは線接触であるので、コア１の温度がコロナリング５ａ〜５ｄに伝わりにくい。
このため、コロナリング５ａ〜５ｄの加熱を防ぐことができ、コロナリング５ａ〜５ｄを囲って設けたプレスボード７ａ〜７ｄの温度を低くすることができ、プレスボードの長寿命化を図ることができる。
【００１７】
なお、上記実施例では、コロナリング５ａ〜５ｄとコア１とを線接触させる場合について示したが、図２に示すように、コロナリング５ａ〜５ｄとコア１の上面、下面との間に間隙を設け、コア１の側面をコロナリングと面接触させるように構成してもよい。このような構成であっても、プレスボード６が不要となり、プレスボード５の加熱による短寿命化を防止することができる。また、コア１の側面は比較的熱伝導がよいので、コロナリング５ａ〜５ｄが面接触していても、コア１の加熱を防止することが可能である。
また、上記実施例では、円環状のコアについて説明したが、後述するレーストラック形状のコアに本実施例を適用してもよい。
【００１８】
ところで、磁性合金薄帯を巻芯に年輪状に巻回したコアにおいては、コアの内径は巻芯の大きさを選定することにより所望の内径とすることができるが、コアの外径は、薄帯を巻回したものであるため必ずしも所望の外径とはならず、コアによってばらつきが生ずる。
このようにコア１の外径にばらつきがあると、コロナリング５ａ，５ｂの径が一定の場合、図３に示すようにコア１の大きさによって、コロナリング５ａ，５ｂとコア１の相対位置関係が変わり、所望の絶縁性能が確保できなかったり、コア１とコロナリング５ａ，５ｂの間に適切な間隙が形成されない場合が生ずる。
【００１９】
このような問題に対処するには、コアの外側に取り付けられるコロナリング５ａ，５ｂの内径を、コアの外径のばらつきを考慮して大きめに製作し、図１に示すようにコア１とコロナリング５ａ，５ｂを線接触させず、図４（ａ）（ｂ）に示すように、コロナリング５ａ，５ｂとコア１の角部を非接触とし、コロナリング５ａ，５ｂを支持部材により支持するように構成すればよい。
図４（ａ）はコア１に取り付けたボス１１に押さえ部材１２を取付け、押さえ部材１２によりコロナリング５ａ，５ｂをコア１側に押し付けて固定するように構成した場合を示し、また、図４（ｂ）は上側のコロナリング５ａと下側のコロナリングをアーム１３で連結し、アーム１３をコア１に取り付けたボス１１に固定するように構成した場合を示す。図４（ｂ）は後述するように２分割型のコロナリングの支持に適用される。なお、図４では、プレスボード７、巻線２等は省略されている。
このような構造とすれば、コア１からコロナリング５ａ，５ｂの熱伝導を無くすことができ、一層、コロナリングの温度上昇を防ぐことができる。
【００２０】
次に、図４に示したコロナリングの取付け構造の具体的構成例について説明する。
図５、図６、図７は、本発明の第２の実施例を示す図であり、本実施例は、円環状のコアに、分割されていない円環状のコロナリングを取り付ける場合の構成例を示し、同図では巻線は省略されている。
図５、図６、図７において、図５は本実施例のコアを上から見た図、図６（ａ）は図５をＡ方向から見た図、図６（ｂ）は図５のＢ−Ｂ断面図、図７（ａ）は図６（ａ）のＣ部分の拡大図、図７（ｂ）は図７（ａ）のＤ−Ｄ断面図である。
【００２１】
図５、図６、図７において、１はコアであり、コア１は前記したように磁性合金薄帯を円環形状の巻芯に年輪状に巻回したコアであり、コア１の周囲の４か所にはコロナリングを固定するためのボス１１が取り付けられている。
５ａ〜５ｄはコロナリング、７ａ〜７ｄはプレスボードであり、５ａ，５ｂはコア１の外側に取り付けられるコロナリング、５ｃ，５ｄはコア１の内側に取り付けられるコロナリングであり、コロナリング５ｃ，５ｄは前記図１、図４に示したように、コア１の巻芯１ａと線接触しており、プレスボード７ｃ，７ｄがコロナリング５ｃ，５ｄを囲むように取り付けられる。
また、コロナリング５ａ，５ｂは、コア１とは接触しておらず、ボス１１にねじ等で固定される押さえ部材１２によりボス１１側に押し付けられて固定されている。コロナリング５ａ，５ｂには、それを囲むようにプレスボード７ａ，７ｂが取り付けられる。
ボス１１はコア１の周囲の４か所に取付けられ、ボス１１に対応する部分のプレスボード７ａ，７ｂには、図７（ａ）に示すように切り欠き７１が設けられている。また、ボス１１に対応する部分のコロナリング５ａ，５ｂには、ボス１１側に延びる突起部５１が設けられている。また、図７（ｂ）に示すようにボス１１にはねじ穴１１ａが設けられている。
【００２２】
上記コロナリング５ａ，５ｂを取り付けるには、コロナリング５ａ、５ｂをコア１に装着し、図７（ｂ）に示すように、コの字形の押さえ部材１２の両端部分がコロナリング５ａ，５ｂの突起部５１に当接するように、押さえ部材１２をねじ１２ａでボス１１に取り付ける。そして、コア１の周囲の４か所のボスに取り付けられる押さえ部材１２の締め付け量を調節して、コア１とコロナリング５ａ，５ｂの間隙が所定の値になるようにする。
以上のようにしてコロナリング５ａ〜５ｄを取付け、それらを囲むようにプレスボード７ａ〜７ｄを取り付けたら、上記ボス１１の部分を避けて、プレスボード７ａ〜７ｄの上に巻線を巻く。
【００２３】
図８は、本発明の第３の実施例を示し、本実施例は上記第２の実施例をレーストラック形状（長円形状）のコアに適用した場合を示しており、同図はコアを上から見た図〔図５に対応〕を示し、同図では図５、図６、図７と同様、巻線は省略されている。
図８において、１はコアであり、コア１は前記したように磁性合金薄帯をレーストラック形状の巻芯に年輪状に巻回したものであり、コア１の周囲の４か所にはコロナリングを固定するためのボス１１が取り付けられている。また、５ａ，５ｃはコロナリング、７ａ，７ｃはプレスボードであり、コロナリング５ｃは前記図１、図４に示したように、コア１の巻芯１ａと線接触しており、プレスボード７ｃがコロナリング５ｃを囲むように取り付けられる（図には示されていないが、紙面裏側のコロナリング５ｄ、プレスボード７ｄも同様である）。
また、コロナリング５ａは、図５、図８と同様、コア１とは接触しておらず、ボス１１にねじ等で固定される押さえ部材１２によりボス１１側に押し付けられて固定されている。コロナリング５ａには、それを囲むようにプレスボード７ａが取り付けられる（図には示されていないが、紙面裏側のコロナリング５ｂ、プレスボード７ｂも同様である）。
図８において、押さえ部材１２によるコロナリング５ａの取付け構造は、図５、図７に示したものと同じであり、図８におけるＥ−Ｅ断面図は、前記図６（ｂ）と同じである。
【００２４】
図９、図１０、図１１は、本発明の第４に実施例を示し、本実施例は円環状のコアに、２分割された円環状のコロナリングを取り付ける場合の構成例を示し、同図では巻線は省略されている。
図９、図１０、図１１において、図９は本実施例のコアを上から見た図、図１０（ａ）は図９をＦ方向から見た図、図１０（ｂ）は図９（ａ）のＧ−Ｇ断面図、図１１（ａ）は図１０（ａ）のＨ部分の拡大図である。図１１（ｂ）は図１１（ａ）のＩ−Ｉ断面図を示し、上側の図はコロナリングを連結するアームをボスに固定する前の状態を示し、下側の図は、上記アームをボスに固定した状態を示している。
図９、図１０、図１１において、１はコアであり、コア１は前記したように磁性合金薄帯を円環形状の巻芯に年輪状に巻回したコアであり、コア１の周囲の４か所にはコロナリングを固定するためのボス１１が取り付けられている。
５ｃ，５ｄはコア１の内側に取り付けられるコロナリングであり、コロナリング５ｃ，５ｄは前記図１、図４に示したように、コア１の巻芯１ａと線接触しており、プレスボード７ｃ，７ｄがコロナリング５ｃ，５ｄを囲むように取り付けられる。
また、コアの外側に取り付けられるコロナリングは２分割されており、コア１の上側に取り付けられるコロナリング５ａ１、５ａ２と、コア１の下側に取り付けられるコロナリング５ｂ１，５ｂ２から構成される。一方、プレスボードは分割されておらず、コア１の上側に取り付けられるプレスボード７ａとコア１の下側に取り付けられるプレスボード７ｂから構成される。
【００２５】
コロナリング５ａ１と５ｂ１はアーム１３ａにより連結されており、また、コロナリング５ａ２と５ｂ２はアーム１３ｂにより連結されている。これらのコロナリング５ａ１〜５ｂ２は、コア１とは接触しておらず、上記アーム１３ａ，１３ｂが、取付け部材１４によりボス１１に固定されることにより支持される。
コロナリング５ａ１，５ａ２、５ｂ１，５ｂ２には、それを囲むようにプレスボード７ａ，７ｂが取り付けられる。
ボス１１はコア１の周囲の４か所に取付けられ、ボス１１に対応する部分のプレスボード７ａ，７ｂには、図１１（ａ）に示すように切り欠き７１が設けられている。また、図１１（ａ）（ｂ）に示すようにボス１１に対応する部分のアーム１３ａ，１３ｂには、貫通穴１３ｃが設けられ、ボス１１には穴１１ｂが設けられている。
【００２６】
上記コロナリング５ａ１〜５ｂ２をコア１に取り付けるには、アーム１３ａにより連結されたコロナリング５ａ１、５ｂ１、アーム１３ｂにより連結されたコロナリング５ａ２、５ｂ２をコア１に装着し、図１１（ｂ）に示すように、取付け部材１４を、アーム１３ａ，１３ｂに設けられた貫通穴１３ｃを貫通させてボス１１に設けられた穴１１ｂに挿入する。そして、取付け部材１４をピン１４ａ等でボス１１に固定する。これにより、コア１にコロナリング５ａ１〜５ｂ２が取り付けられる。
以上のようにしてコロナリング５ａ１〜５ｂ２、５ｃ、５ｄをコア１に取付け、それらを囲むようにプレスボード７ａ〜７ｄを取り付けたのち、上記ボス１１の部分を避けて、プレスボード７ａ，７ｂ，７ｃ，７ｄの上に巻線を巻く。
【００２７】
図１２は、本発明の第５の実施例を示し、本実施例は上記第４の実施例をレーストラック形状（長円形状）のコアに適用した場合を示しており、同図はコアを上から見た図〔図９に対応〕を示し、巻線は省略されている。
図１２において、１はコアであり、コア１は前記したように磁性合金薄帯をレーストラック形状の巻芯に年輪状に巻回したものであり、コア１の周囲の４か所にはコロナリングを固定するためのボス１１が取り付けられている。
５ｃはコア１の内側に取り付けられるコロナリングであり、コロナリング５ｃは前記図１、図４に示したように、コア１の巻芯１ａと線接触しており、プレスボード７ｃがコロナリング５ｃを囲むように取り付けられる（図には示されていないが、紙面裏側のコロナリング５ｄ、プレスボード７ｄも同様である）。
【００２８】
また、コアの外側に取り付けられるコロナリングは２分割されており、コア１の上側に取り付けられるコロナリング５ａ１、５ａ２と、コア１の下側に取り付けられるコロナリング５ｂ１，５ｂ２（図には示されていない）から構成される。プレスボードは分割されておらず、コア１の上側に取り付けられるプレスボード７ａとコア１の下側に取り付けられるプレスボード７ｂ（図には示されていない）から構成される。
コロナリング５ａ１と５ｂ１は、アーム１３ａにより連結されており、また、コロナリング５ａ２と５ｂ２はアーム１３ｂにより連結されている。これらのコロナリング５ａ１〜５ｂ２は、コア１とは接触しておらず、第４の実施例と同様上記アーム１３ａ，１３ｂが、取付け部材１４によりボス１１に固定されることにより支持される。
コロナリング５ａ１，５ａ２、５ｂ１，５ｂ２には、それを囲むように取付けられたプレスボード７ａ，７ｂが取り付けられる。
図１２において、取付け部材１４によるコロナリング５ａ１、５ｂ１、５ｂ１、５ｂ２の取付け構造は、図９、図１０、図１１に示したものと同じであり、図１２におけるＪ−Ｊ断面図は、前記図１０（ｂ）と同じである。
【００２９】
【発明の効果】
以上説明したように、本発明においては、以下の効果を得ることができる。
（１）コアと電界緩和部材（コロナリング）を線接触としたり、コアと電界緩和部材（コロナリング）との間に間隙を設けることにより、コアと電界緩和部材（コロナリング）間のプレスボードを省略することができる。このため、コアと電界緩和部材（コロナリング）との間プレスボードを設ける必要がなくなり、該プレスボードの劣化による巻線機器の短寿命化を防止することができる。
（２）コアとコロナリングとの間に間隙を設けることにより、コアとコロナリングとの間に冷媒を介在させることができ、コロナリングの加熱を抑制できる。このため、コアを囲むプレスボードの熱伝導による加熱を抑制でき、コロナリング上に設けるプレスボードの短寿命化を防ぐことができる。
【図面の簡単な説明】
【図１】本発明の第１の実施例を示す図である。
【図２】第１の実施例の変形例を示す図である。
【図３】コア１の外径にばらつきがある場合のコロナリングとコアの相対位置関係を説明する図である。
【図４】コロナリングとコアを非接触に構成した場合のコロナリングの取付けを説明する図である。
【図５】本発明の第２の実施例を示す図（１）である。
【図６】本発明の第２の実施例を示す図（２）である。
【図７】図６の部分拡大図である。
【図８】本発明の第３の実施例を示す図である。
【図９】本発明の第４の実施例を示す図（１）である。
【図１０】本発明の第４の実施例を示す図（２）である。
【図１１】図１０の部分拡大図である。
【図１２】本発明の第５の実施例を示す図である。
【図１３】一般的な高電圧パルス発生回路の構成を示す図である。
【図１４】磁気スイッチ、昇圧トランスの回路接続を模式的に示す図である。
【図１５】可飽和リアクトルのコアに巻線が巻かれた様子を示す斜視図である。
【図１６】可飽和リアクトルの断面構造を概念的に示す図である。
【図１７】従来のコロナリングの取付け構造を示す断面図である。
【符号の説明】
１                    コア（磁心）
１ａ                  巻芯
２                    巻線
５，５ａ〜５ｄ        コロナリング
６                    プレスボード
７，７ａ〜７ｄ        プレスボード
１１                  ボス
１２                  押さえ部材
１３ａ，１３ｂ        アーム
１４                  取付け部材１４
【図１】
0003752978.tif 000002
【図２】
0003752978.tif 000003
【図３】
0003752978.tif 000004
【図４】
0003752978.tif 000005
【図５】
0003752978.tif 000006
【図６】
0003752978.tif 000007
【図７】
0003752978.tif 000008
【図８】
0003752978.tif 000009
【図９】
0003752978.tif 000010
【図１０】
0003752978.tif 000011
【図１１】
0003752978.tif 000012
【図１２】
0003752978.tif 000013
【図１３】
0003752978.tif 000014
【図１４】
0003752978.tif 000015
【図１５】
0003752978.tif 000016
【図１６】
0003752978.tif 000017
【図１７】
0003752978.tif 000018